(57)【要約】【課題】  擬似発光の生じる虞を少なくできる有機ＥＬパネルの駆動回路を提供する。【解決手段】  複数の陰極ライン１ｂと複数の陽極ライン１ａとを有しマトリクス状に画素が配設された有機ＥＬパネル１と、各陰極ライン１ｂを逆バイアス電圧Ｖｂまたは第１のアース電位に接続自在とする走査スイッチ２ａ１〜２ａｍと、各陽極ライン１ａを第１定電流回路３ｂ１〜３ｂｎまたは第２のアース電位に接続自在とするドライブスイッチ３ａ１〜３ａｎと、走査スイッチ２ａ１〜２ａｍ及びドライブスイッチ３ａ１〜３ａｎの接続状態を制御して前記画素をオン／オフさせる制御部４とを備え、有機ＥＬパネル１のオフ制御されるべき前記画素に対応するドライブスイッチ３ａ１〜３ａｎと前記第２のアース電位との間に第２定電流回路３ｃ１〜３ｃｎを設けた。【選択図】  図５
2006208625.tif 000002
【特許請求の範囲】
【請求項１】
複数の走査ラインと複数のドライブラインとを有しマトリクス状に画素が配設された有機ＥＬパネルと、
前記走査ラインを第１電位または第２電位に接続自在とする走査スイッチ手段と、
前記ドライブラインを第１定電流回路または第３電位に接続自在とするドライブスイッチ手段と、
前記走査スイッチ手段及び前記ドライブスイッチ手段の接続状態を制御して前記画素をオン／オフさせる制御手段とを備え、
前記有機ＥＬパネルのオフ制御されるべき前記画素に対応する前記ドライブスイッチ手段と前記第３電位との間に第２定電流回路を設けたことを特徴とする有機ＥＬパネルの駆動回路。
【請求項２】
複数の走査ラインと複数のドライブラインとを有しマトリクス状に画素が配設された有機ＥＬパネルと、
前記走査ラインを第１電位または第２電位に接続自在とする走査スイッチ手段と、
前記ドライブラインを第１定電流回路に接続するかまたは第３電位に導くためのドライブスイッチ手段と、
前記ドライブスイッチ手段と前記第３電位との間に設けられる第２定電流回路と、
前記走査スイッチ手段及び前記ドライブスイッチ手段の接続状態を制御して前記画素をオン／オフさせる制御手段とを備え、
前記制御手段は前記走査スイッチ手段を前記第２電位側に接続するとともに前記ドライブスイッチ手段を前記第１定電流回路側に接続して前記画素を発光させ、また発光させない前記画素に対しては前記ドライブスイッチ手段を前記第２定電流回路側に接続して寄生容量に基づく発光に寄与しない電荷を前記第２定電流回路を介して前記第３電位に流すような制御を行うことを特徴とする有機ＥＬパネルの駆動回路。
【請求項３】
前記第２定電流回路の動作する電圧は、前記画素の発光開始電圧以下であることを特徴とする請求項１または請求項２記載の有機ＥＬパネルの駆動回路。
【発明の詳細な説明】
【技術分野】
【０００１】
本発明は、複数の陽極ライン及び複数の陰極ライン間に少なくとも発光層を有する有機層を形成してなる有機ＥＬ素子を備えた有機ＥＬパネルの駆動回路に関する。
【背景技術】
【０００２】
定電流駆動素子である有機ＥＬ素子を備えた有機ＥＬパネルとしては、例えば下記特許文献１に示すものがある。これは、ガラス基板等の透光性絶縁支持基板上にＩＴＯ（Indium Tin Oxide）等の導電性透明膜を用いた複数の陽極ラインを平行に形成し、この陽極ラインの背面に有機層を形成し、この有機層の背面にアルミニウム等の金属蒸着膜を用いた複数の平行な陰極ラインを陽極ラインと直交するように形成し、これら陽極ラインと陰極ラインとで有機層を挟持してなるドットマトリクス状の有機ＥＬ素子を備える有機ＥＬパネルであり、低消費電力，高表示品質及び薄型化が可能なディスプレイとして注目されている。
【特許文献１】特開平１１−３１１９７８号公報
【０００３】
このような有機ＥＬパネルの駆動回路としては、例えば図６に示すようなものがある。かかる駆動回路は、有機ＥＬパネル１と、陰極側駆動回路２と、陽極側駆動回路３と、制御部４とから構成されている。
【０００４】
有機ＥＬパネル１は、画素を担う有機ＥＬ素子Ｅ１１〜Ｅｎｍが格子状に配設されてなるもので、この有機ＥＬ素子Ｅ１１〜Ｅｎｍの構成は、垂直方向に沿うように複数設けられた陽極ライン１ａと、この陽極ライン１ａと直交するように複数設けられた陰極ライン１ｂとの交差箇所に、少なくとも発光層を含む有機層が挟持されてなるものである。なお、各有機ＥＬ素子Ｅ１１〜Ｅｎｍは、並列配置されたダイオード及びコンデンサからなる等価回路で表され、一端が陽極ライン１ａ（ダイオード成分の陽極側）に、他端が陰極ライン１ｂ（ダイオード成分の陰極側）に接続されてなるものである。
【０００５】
陰極側駆動回路２は、各陰極ライン１ｂに対応する複数の走査スイッチ２ａ１〜２ａｍを備え、各有機ＥＬ素子Ｅ１１〜Ｅｎｍにおける陰極側の電源電圧となる逆バイアス電圧Ｖもしくはアース電位（０Ｖ）のいずれか一方を、制御部４の制御信号に基づき走査スイッチ２ａ１〜２ａｍによって選択するものである。
【０００６】
陽極側駆動回路３は、各陽極ライン１ａに対応する複数のドライブスイッチ３ａ１〜３ａｎを備え、各陽極ライン１ａに駆動電流（定電流）を供給するための駆動電流源３ｂ１〜３ｂｎもしくはアース電位（０Ｖ）のいずれか一方を、制御部４の制御信号に基づきドライブスイッチ３ａ１〜３ａｎによって選択するものである。
【０００７】
制御部４は、主にマイクロコンピュータから構成され、例えば車両の走行情報を各種センサにより入力すると、所定の演算処理を行い車速やエンジン回転数等の各種情報を有機ＥＬパネル１で表示させるための制御信号を陰極側駆動回路２と陽極側駆動回路３とにそれぞれ出力し、有機ＥＬ素子Ｅ１１〜Ｅｎｍを発光させるのに必要な陰極，陽極ライン１ｂ，１ａに対応した走査スイッチ２ａ１〜２ａｍ及びドライブスイッチ３ａ１〜３ａｎを選択的にオン／オフさせることで有機ＥＬパネル１に各種情報を表示させるものである。以上の各部によって有機ＥＬパネルの駆動回路が構成される。
【０００８】
かかる有機ＥＬパネル１の駆動回路は、陰極側駆動回路２及び陽極側駆動回路３における走査スイッチ２ａ１〜２ａｍ及びドライブスイッチ３ａ１〜３ａｎによって陰極，陽極ライン１ｂ，１ａのいずれかを選択して、選択された陰極，陽極ライン１ｂ，１ａにて挟持される各有機ＥＬ素子Ｅ１１〜Ｅｎｍのいずれかに前記駆動電流を印加して発光駆動させるものである。
【０００９】
ここで、例えば有機ＥＬパネル１において、走査スイッチ２ａ１により有機ＥＬ素子Ｅ１１，Ｅ２１を発光させた後、走査スイッチ２ａ２により有機ＥＬ素子Ｅ２２，Ｅ３２を発光させる場合について説明する。制御部４は、まず、各走査スイッチ２ａ１〜２ａｍに対して、走査スイッチ２ａ１をアース電位側に切り換え、他の走査スイッチ２ａ２〜２ａｍを逆バイアス電圧Ｖ側に切り換えるように陰極側駆動回路２を制御する。これと同時に、制御部４は、各ドライブスイッチ３ａ１〜３ａｎに対して、ドライブスイッチ３ａ１，３ａ２を駆動電流源３ｂ１，３ｂ２側に切り換え、他のドライブスイッチ３ａ３〜３ａｎをアース電位側に切り換えるように陽極側駆動回路３を制御する。これにより、有機ＥＬ素子Ｅ１１，Ｅ２１には前記駆動電流が印加される、つまり有機ＥＬ素子Ｅ１１，Ｅ２１に対応するコンデンサに電荷が蓄えられるため有機ＥＬ素子Ｅ１１，Ｅ２１が発光する。
【００１０】
そして、かかる有機ＥＬ素子Ｅ１１，Ｅ２１の発光後、有機ＥＬ素子Ｅ２２，Ｅ３２を発光させる場合には、制御部４は、陰極側駆動回路２及び陽極側駆動回路３に対して、一旦、各有機ＥＬ素子Ｅ１１〜Ｅｎｍに蓄えられている電荷をゼロにしてから、有機ＥＬ素子Ｅ２２，Ｅ３２を発光させるような制御を行う。
【００１１】
つまり、制御部４は、次に図７に示すように走査スイッチ２ａ１とドライブスイッチ３ａ１，３ａ２をアース電位側に切り換え、走査スイッチ２ａ１〜２ａｍ及びドライブスイッチ３ａ１〜３ａｎを全てアース電位側に切り換えような制御を行う。その後、制御部４は、図８に示すように走査スイッチ２ａ２のみをアース電位側に切り換えるように陰極側駆動回路２を制御し、またドライブスイッチ３ａ２，３ａ３のみを駆動電流源３ｂ２，３ｂ３側に切り換えるように陽極側駆動回路３を制御する。これにより、有機ＥＬ素子Ｅ２２，Ｅ３２には前記駆動電流が印加される、つまり有機ＥＬ素子Ｅ２２，Ｅ３２に対応するコンデンサに電荷が蓄えられるため有機ＥＬ素子Ｅ２２，Ｅ３２が発光するものである。
【発明の開示】
【発明が解決しようとする課題】
【００１２】
ところで、かかる有機ＥＬパネルの駆動回路において、走査スイッチ２ａ２によって所定の有機ＥＬ素子Ｅ２２，Ｅ３２を発光させる場合には、駆動電流源３ｂ２，３ｂ３に加えて逆バイアス電圧Ｖ側に接続されている他の走査スイッチ２ａ１，２ａ３〜２ａｎからも有機ＥＬ素子Ｅ２２，Ｅ３２に電荷が注入され、この電荷が有機ＥＬ素子Ｅ２２，Ｅ３２に対応するコンデンサに充電されるようになっている。これは、例えば前記特許文献１に示されているように立ち上がりを急峻にするためのリセット駆動であり、逆バイアス電圧Ｖ側に接続されている他の走査スイッチからの注入電荷（以下、リセット電流と呼ぶ）の効果が大きい。
【００１３】
一方、このリセット電流は、走査スイッチ２ａ２によって非発光状態となるべき有機ＥＬ素子Ｅ１２，Ｅ４２〜Ｅｎ２に対しても、同様に逆バイアス電圧Ｖ側に接続されている他の走査スイッチ２ａ１，２ａ３〜２ａｎから各インピーダンスＲ１〜Ｒ４に応じた電流が陰極ライン１ｂ側に多く流れるという現象が生じる。つまり、この電流は、インピーダンスの大きい陽極ライン１ａ側（陽極側駆動回路３側）に流れにくくなり、インピーダンスの小さい有機ＥＬ素子Ｅ１２，Ｅ４２〜Ｅｎ２に対応する陰極ライン１ｂ側（走査スイッチ２ａ２側）により流れやすくなるため、有機ＥＬ素子Ｅ１２，Ｅ４２〜Ｅｎ２に対応する各コンデンサにも電荷が僅かに充電され、この電荷の充電により本来は非発光状態となるべきである有機ＥＬ素子Ｅ１２，Ｅ４２〜Ｅｎ２が擬似発光してしまうという問題を有していた。この擬似発光とはうっすらと点灯してしまう事象である。
そこで本発明は、前述の課題に対して対処するため、擬似発光の生じる虞を少なくできる有機ＥＬパネルの駆動回路の提供を目的とするものである。
【課題を解決するための手段】
【００１４】
本発明は、複数の走査ラインと複数のドライブラインとを有しマトリクス状に画素が配設された有機ＥＬパネルと、前記走査ラインを第１電位または第２電位に接続自在とする走査スイッチ手段と、前記ドライブラインを第１定電流回路または第３電位に接続自在とするドライブスイッチ手段と、前記走査スイッチ手段及び前記ドライブスイッチ手段の接続状態を制御して前記画素をオン／オフさせる制御手段とを備え、前記有機ＥＬパネルのオフ制御されるべき前記画素に対応する前記ドライブスイッチ手段と前記第３電位との間に第２定電流回路を設けたことを特徴とする。
【００１５】
また本発明は、複数の走査ラインと複数のドライブラインとを有しマトリクス状に画素が配設された有機ＥＬパネルと、前記走査ラインを第１電位または第２電位に接続自在とする走査スイッチ手段と、前記ドライブラインを第１定電流回路に接続するかまたは第３電位に導くためのドライブスイッチ手段と、前記ドライブスイッチ手段と前記第３電位との間に設けられる第２定電流回路と、前記走査スイッチ手段及び前記ドライブスイッチ手段の接続状態を制御して前記画素をオン／オフさせる制御手段とを備え、前記制御手段は前記走査スイッチ手段を前記第２電位側に接続するとともに前記ドライブスイッチ手段を前記第１定電流回路側に接続して前記画素を発光させ、また発光させない前記画素に対しては前記ドライブスイッチ手段を前記第２定電流回路側に接続して寄生容量に基づく発光に寄与しない電荷を前記第２定電流回路を介して前記第３電位に流すような制御を行うことを特徴とする。
【００１６】
また本発明は、前記第２定電流回路の動作する電圧は、前記画素の発光開始電圧以下であることを特徴とする。
【発明の効果】
【００１７】
本発明によれば、初期の目的を達成でき、擬似発光の生じる虞を少なくできる有機ＥＬパネルの駆動回路を提供できる。
【発明を実施するための最良の形態】
【００１８】
以下、本発明をドットマトリクス型の有機ＥＬ素子を備える有機ＥＬパネルの駆動回路に適用した実施の形態を添付図面に基づき説明するが、前述した背景技術と同一もしくは相当個所には同一符号を付してその詳細な説明を省く。
【００１９】
本発明の実施形態における駆動回路は、図１に示すように、有機ＥＬパネル１と、陰極側駆動回路２と、陽極側駆動回路３と、制御部（制御手段）４とから主に構成されている。
【００２０】
有機ＥＬパネル１は、複数の陽極ライン（ドライブライン）１ａと複数の陰極ライン（走査ライン）１ｂとが互いに直交（交差）する状態に配設され、この交差部分に少なくとも発光層を含む有機層を挟持してドットマトリクス状の有機ＥＬ素子Ｅ１１〜Ｅｎｍを構成している。図２は、有機ＥＬ素子Ｅ１１〜Ｅｎｍの電気特性（電流、電圧特性）を示しており、これは、有機ＥＬ素子Ｅ１１〜Ｅｎｍは、寄生容量の充電を行い、その両端の電圧が所定の電圧値（駆動開始電圧）Ｖｏ以上となると電流が流れて正常な発光を行うということを示している。
【００２１】
なお、図１中、Ｒ１、Ｒ２は、各有機ＥＬ素子Ｅ１１〜Ｅｎｍに対応する各陽極ライン１ａ、各陰極ライン１ｂの備えているインピーダンス（配線抵抗）であり、この場合、各有機ＥＬ素子Ｅ１１〜Ｅｎｍにおいて各陰極ライン１ｂのインピーダンスＲ２は、各陽極ライン１ａのインピーダンスＲ１よりも小さい値となっている。
【００２２】
陰極側駆動回路２は、各陰極ライン１ｂを、走査スイッチ（走査スイッチ手段）２ａ１〜２ａｍによって、陰極側の電源電圧であり有機ＥＬ素子Ｅ１１〜Ｅｎｍの駆動電圧と同電位に設定される第１電位である逆バイアス電圧（非選択電圧）Ｖｂもしくは第２電位である第１のアース電位（０Ｖ，選択電圧）のいずれか一方に選択するものである。なお，Ｒ３は、逆バイアス電圧Ｖｂの備えている回路のインピーダンスであり、Ｒ４は、前記第１のアース電位の備えている回路のインピーダンスである。
【００２３】
陽極側駆動回路３は、各陽極ライン１ａに対応する複数のドライブスイッチ（ドライブスイッチ手段）３ａ１〜３ａｎを備え、各陽極ライン１ａを、各ドライブスイッチ３ａ１〜３ａｎによって、各陽極ライン１ａに駆動電流（定電流）を供給するための第１定電流回路（駆動電流源）３ｂ１〜３ｂｎもしくは後述するリセット駆動時において走査される所定の陰極ライン１ｂ以外の他の陰極ライン１ｂから、インピーダンスＲ１〜Ｒ４に応じて流れる電流を、前記走査される所定の陰極ライン１ｂ箇所においてオフ制御されるべき所定の有機ＥＬ素子Ｅ１１〜Ｅｎｍに流し込むことなく、前記定電流の流れる方向とは反対方向に速やかに流し込むための第２定電流回路（定電流源）３ｃ１〜３ｃｎのいずれか一方に選択するものである。
【００２４】
つまり、本実施形態の場合、駆動電流源３ｂ１〜３ｂｎは、各有機ＥＬ素子Ｅ１１〜Ｅｎｍに対して発光に寄与する電荷を供給するためのものであり、一方、第２定電流回路３ｃ１〜３ｃｎは、各有機ＥＬ素子Ｅ１１〜Ｅｎｍから発光に寄与しない電荷を受け取るためのものである。図３は、第２定電流回路３ｃ１〜３ｃｎの一例を示すものであり、第２定電流回路３ｃ１〜３ｃｎは基準電圧発生手段３ｄとオペアンプ３ｅとｎｐｎトランジスタ３ｆとから構成され、トランジスタ３ｆのオン／オフによって、トランジスタ３ｆのエミッタに接続された陽極ライン１ａからの寄生容量に基づく電流を第３電位である第２のアース電位（矢印Ａ方向）に流すものである。このように第２定電流回路３ｃ１〜３ｃｎは、前記第３電位に接続され、また第２定電流回路３ｃ１〜３ｃｎの動作する電圧は、有機ＥＬ素子Ｅ１１〜Ｅｎｍの発光開始電圧（前記駆動開始電圧）Ｖｏ以下に設定されている。なお、各陽極ライン１ａに供給する各駆動電流源３ｂ１〜３ｂｎの電流値及び各第２定電流回路３ｃ１〜３ｃｎの電流値は、同一の値でもよいし異なる値でもよい。
【００２５】
制御部４は、有機ＥＬパネル１における有機ＥＬ素子Ｅ１１〜Ｅｎｍを駆動させるための制御信号を陰極側駆動回路２と陽極側駆動回路３とにそれぞれ出力し、陰極ライン１ｂの走査スイッチ２ａ１〜２ａｍ及び陽極ライン１ａのドライブスイッチ３ａ１〜３ａｎを選択的にオン／オフさせ、画素を担う所定の有機ＥＬ素子Ｅ１１〜Ｅｎｍを発光させることで各種情報を表示させるものである。
【００２６】
次に、図１，図４，図５を用いて有機ＥＬ素子Ｅ１１，Ｅ２１を発光駆動させた後、有機ＥＬ素子Ｅ２２，Ｅ３２を発光駆動させる場合を例に挙げて、制御部４による有機ＥＬパネル１の駆動方法を説明する。
【００２７】
制御部４は、まず、図１に示すように、陰極側駆動回路２に制御信号を出力して走査スイッチ２ａ１によって有機ＥＬ素子Ｅ１１，Ｅ２１に対応する陰極ライン１ｂを第１のアース電位側に接続（設定）し、また、第１のアース電位に選択されない陰極ライン１ｂを走査スイッチ２ａ２〜２ａｍによって逆バイアス電圧Ｖｂ側に各々接続するように各走査スイッチ２ａ１〜２ａｍを制御する（第１のステップ）。
【００２８】
次に、このように有機ＥＬ素子Ｅ１１，Ｅ２１を発光駆動させてから、有機ＥＬ素子Ｅ２２，Ｅ３２を発光駆動させるまでの間、つまり走査スイッチ２ａ１に対応する陰極ライン１ｂが選択されてから次の走査スイッチ２ａ２に対応する陰極ライン１ｂが選択されるまでの間に、制御部４は、以下に示す第２，第３のステップによる制御（リセット駆動）を陰極側駆動回路２，陽極側駆動回路３に対して行う。
【００２９】
すなわち、制御部４は、次に図４に示すように走査スイッチ２ａ１〜２ａｍを前記第１のアース電位側に接続し、ドライブスイッチ３ａ１〜３ａｎを第２定電流回路３ｃ１〜３ｃｎ側（前記第２のアース電位側）に接続するような制御を行い、有機ＥＬ素子Ｅ１１〜Ｅｎｍに蓄えられている電荷を放電させる（第２のステップ）。制御部４は、次に図５に示すように有機ＥＬ素子Ｅ２２，Ｅ３２に対応する走査スイッチ２ａ２以外の走査スイッチ２ａ１，２ａ３〜２ａｍを逆バイアス電圧Ｖｂに接続し、また有機ＥＬ素子Ｅ２２，Ｅ３２に対応するドライブスイッチ３ｂ２，３ｂ３を駆動電流源３ｂ２，３ｂ３に接続する（第３のステップ）。これにより、駆動電流源３ｂ２，３ｂ３からの前記定電流が、駆動電流源３ｂ２，３ｂ３に接続される陽極ライン１ａに印加され、走査スイッチ２ａ２に対応する陰極ライン１ｂに流れ込むことで、有機ＥＬ素子Ｅ２２，Ｅ３２が発光する。
【００３０】
この際、有機ＥＬ素子Ｅ２２，Ｅ３２には、前記定電流に加えて逆バイアス電圧Ｖｂ側に切り換えられた他の走査スイッチ２ａ１，２ａ３〜２ａｍに対応する陰極ライン１ｂからも各インピーダンスＲ１〜Ｒ４に応じた電荷が注入されるため、この電荷も有機ＥＬ素子Ｅ２２，Ｅ３２の発光に寄与していることになる。一方、このような走査スイッチ２ａ２による制御（前記リセット駆動）時において、有機ＥＬ素子Ｅ２２，Ｅ３２以外の画素、つまり有機ＥＬ素子Ｅ１２，Ｅ４２〜Ｅｎ２に対しては、他の走査スイッチ２ａ１，２ａ３〜２ａｍに対応する陰極ライン１ｂからの電荷（電流）が、各インピーダンスＲ１〜Ｒの大きさに依存することなく、有機ＥＬ素子Ｅ１２，Ｅ４２〜Ｅｎ２に対応する陽極ライン１ａに接続されるとともに駆動電圧Ｖｏ以下の動作電圧で動作する各第２定電流回路３ｃ１，３ｃ４〜３ｃｎに強制的に且つ速やかに流れ込むことになる。このため、有機ＥＬ素子Ｅ１２，Ｅ４２〜Ｅｎ２には余分な電荷が蓄えられないことになり、有機ＥＬ素子Ｅ１２，Ｅ４２〜Ｅｎ２の擬似発光を防止することができる。
【００３１】
以上のように、本実施形態では、複数の陰極ライン１ｂと複数の陽極ライン１ａとを有しマトリクス状に前記画素が配設された有機ＥＬパネル１と、各陰極ライン１ｂを逆バイアス電圧Ｖｂまたは前記第１のアース電位に接続自在とする走査スイッチ２ａ１〜２ａｍと、各陽極ライン１ａを駆動電流源３ｂ１〜３ｂｎまたは前記第２のアース電位に接続自在とするドライブスイッチ３ａ１〜３ａｎと、走査スイッチ２ａ１〜２ａｍ及びドライブスイッチ３ａ１〜３ａｎの接続状態を制御して前記画素をオン／オフさせる制御部４とを備え、有機ＥＬパネル１のオフ制御されるべき前記画素に対応するドライブスイッチ３ａ１〜３ａｎと前記第２のアース電位との間に第２定電流回路３ｃ１〜３ｃｎを設けたものである。
【００３２】
従って、従来のように走査スイッチ２ａ２による制御時に、非発光状態となるべき画素である有機ＥＬ素子Ｅ１２，Ｅ４２〜Ｅｎ２に注入されていた電荷は、各有機ＥＬ素子Ｅ１１〜Ｅｎｍにおける陽極ライン１ａ，陰極ライン１ｂの有するインピーダンスＲ１，Ｒ２や回路のインピーダンスＲ３，Ｒ４に関係なく、有機ＥＬ素子Ｅ１２，Ｅ４２〜Ｅｎ２に充電されずに、ドライブスイッチ３ａ１，３ｃ４〜３ｃｎを介してこれらに対応する陽極ライン１ａに接続された第２定電流回路３ｃ１，３ｃ４〜３ｃｎ側、つまり前記定電流の流れる方向とは反対方向に速やかに移動するようになっている。これにより走査スイッチ２ａ２の制御によって非発光状態となるべき有機ＥＬ素子Ｅ１２，Ｅ４２〜Ｅｎ２には、余分な電荷が蓄えられなくなるので、擬似発光の生じる虞の少ない表示品質の良好な有機ＥＬパネルを提供することができる。
【００３３】
また本実施形態では、個々の第２定電流回路３ｃ１〜３ｃｎは、電流値を任意の値（あらゆる値）に選択できることにより、有機ＥＬパネルの大きさやインピーダンス等によってパネル特性が変化したとしても、駆動回路の調整を容易に行うことができる。
【図面の簡単な説明】
【００３４】
【図１】本発明の実施形態による有機ＥＬパネルの駆動回路を示すブロック図である。
【図２】同実施形態による有機ＥＬパネルの電気特性を示す図である。
【図３】同実施形態による第２定電流回路の一例を示す図である。
【図４】同実施形態による有機ＥＬパネルの駆動回路を示すブロック図である。
【図５】同実施形態による有機ＥＬパネルの駆動回路を示すブロック図である。
【図６】従来の有機ＥＬパネルの駆動回路を示すブロック図である。
【図７】従来の有機ＥＬパネルの駆動回路を示すブロック図である。
【図８】従来の有機ＥＬパネルの駆動回路を示すブロック図である。
【符号の説明】
【００３５】
１      有機ＥＬパネル
１ａ    陽極ライン（ドライブライン）
１ｂ    陰極ライン（走査ライン）
２      陰極側駆動回路
２ａ１〜２ａｍ  走査スイッチ（走査スイッチ手段）
３      陽極側駆動回路
３ａ１〜３ａｎ  ドライブスイッチ（ドライブスイッチ手段）
３ｂ１〜３ｂｎ  第１定電流回路（駆動電流源）
３ｃ１〜３ｃｎ  第２定電流回路（定電流源）
４      制御部
Ｅ１１〜Ｅｎｍ  有機ＥＬ素子
Ｖｂ    逆バイアス電圧
【図１】
2006208625.tif 000003
【図２】
2006208625.tif 000004
【図３】
2006208625.tif 000005
【図４】
2006208625.tif 000006
【図５】
2006208625.tif 000007
【図６】
2006208625.tif 000008
【図７】
2006208625.tif 000009
【図８】
2006208625.tif 000010